(57)【要約】【課題】高速同調切替えられる直列同調回路の同調周波数特性が所定の帯域精度に保たれるように構成された空中線共用器を提供することにある。【解決手段】第一のインピーダンス変換器と、高周波信号をプリント基板の任意の位置まで伝送する低インピーダンス伝送線路と、低インピーダンス分岐・合成端部と、複数各チャネル内に定められた高域周波数に同調する複数の直列同調回路と、複数のインダクタを備えて複数各チャネル内に定められた中・低域周波数に同調する高速切替え高周波同調インダクタと、複数各チャネルに割り当てられた複数の無線機と、第二のインピーダンス変換器とが前記プリント基板上に備えられ、前記低インピーダンス分岐・合成部は正多角形状を形成し、低インピーダンス伝送線路は前記プリント基板の裏面に配設されるマイクロストリップラインによって形成されたものである。【選択図】      図１
2006148385.tif 000002
【特許請求の範囲】
【請求項１】
空中線に接続される空中線接続端と、
該空中線接続端に接続される空中線側端と低いインピーダンスを有し、該空中線側のインピーダンスと該インピーダンスより低い低インピーダンスとの相互変換を行う第一のインピーダンス変換器と、
該インピーダンス変換器に一方の端部が接続され、高周波信号をプリント基板の任意の位置まで伝送する低インピーダンス伝送線路と、
該低インピーダンス伝送線路の他方の端部が接続され、前記高周波信号の一方の伝送方向では複数チャネル分の分岐端を形成し、他方の伝送方向では複数チャネル分の合成端を形成する低インピーダンス分岐・合成端部と、
該複数チャネル分の低インピーダンス分岐・合成端部にそれぞれ一方の端部が接続された前記複数チャネル分の数の高周波同調キャパシタと高周波同調インダクタとを備えて複数各チャネル内に定められた高域周波数に同調する複数の直列同調回路と、
前記複数の直列同調回路の他方の端部のそれぞれに直列に一方の端部が接続された直列複数のおのおのがスイッチにより選択される直列複数のインダクタを備えて複数各チャネル内に定められた中・低域周波数に同調する高速切替え高周波同調インダクタと、
該複数チャネル分の高速切替え高周波同調インダクタの他方の端部のそれぞれが一方の端部に接続され、それぞれの他方は複数各チャネルに割り当てられた複数の無線機にそれぞれ接続される複数の無線機接続端と、
前記直列同調回路側の低インピーダンスと該低インピーダンスより高い高インピーダンスとの相互変換を行う第二のインピーダンス変換器とが前記プリント基板上に備えられ、
前記低インピーダンス分岐・合成部は、前記プリント基板の表面に配設される前記低インピーダンスに相当する特性インピーダンスを有するマイクロストリップラインを用いた前記複数チャネル分に対応する正多角形状を形成し、前記複数チャネル分のそれぞれの直列同調回路は該正多角形状のマイクロストリップラインの一辺に相対するように配置され、
前記低インピーダンス伝送線路は前記プリント基板の裏面に配設される前記低インピーダンスに相当する特性インピーダンスを有するマイクロストリップラインによって形成され、
前記直列同調回路の同調周波数特性が所定の帯域精度に保たれるように構成された空中線共用器。
【発明の詳細な説明】
【技術分野】
【０００１】
本発明は、空中線を複数の無線機に共用する空中線共用器において、複数の高周波同調器を結合する分岐回路の構成方法に関するものである。
【背景技術】
【０００２】
スペクトラム拡散通信に用いられるような空中線共用器の例として、複数（ｎ）個の高周波帯域周波数チャネル（一例としてＵＨＦ帯の４つのチャネル）をひとつの空中線で共用するようなものがある。これは（ｎ＋１）個の端部を有するマイクロストリップライン等により特性インピーダンスをもつ伝送線路を含む分岐・合成端部が必要になり、かつ、チャネル毎に備えた複数の同調素子を切替えて（一例として２Ｍ種類）所定の同調周波数に同調させる高速切替え同調器（同調回路）を常時送受動作モードとさせるような空中線共用器がある。このような従来技術としては、特願２００３−３０３９９７に先行出願されている。
上記のような（ｎ＋１）個の分岐・合成端部を有するプリント基板の表面に形成されたマイクロストリップライン（１層の誘電体基板）により特性インピーダンスをもつ伝送線路を含む分岐・合成端部を構成する従来技術として、回路ブロック図を図５に、プリント基板の実装状況を図４に示すようなものがある。
以下、図４を参照して説明する。２はインピーダンス変換器、１４は伝送線路を含む分岐・合成端部、５Ａ〜５Ｄは高周波同調キャパシタ、６Ａ〜６Ｄは高周波同調インダクタ、７Ａ〜７Ｄは高速切替え高周波同調インダクタである。
インピーダンス変換器２は空中線の接続端のインピーダンス（一例として５０Ω）と高速切替え同調回路に求められる同調負荷Ｑを上げるための低インピーダンス（一例として１２．５Ω）との間を相互にインピーダンス変換する。
分岐・合成端部１４はマイクロストリップライン等を用いた低インピーダンス（一例として１２．５Ω）の特性インピーダンスを有する伝送線路を含む一方の端部をインピーダンス変換器２に接続された分岐・合成回路である。
分岐・合成端部１４の他方の端部は複数（一例としてチャネル数ｎ＝４）個の高周波帯域周波数チャネル毎の同調回路の最初の同調素子を接続させる分岐・合成端部である。
この最初の同調素子は一例として４つの高周波同調キャパシタ５Ａ〜５Ｄである。
更に、高周波同調キャパシタ５Ａ〜５Ｄにそれぞれの素子には直列同調素子として高周波同調インダクタ６Ａ〜６Ｄ及び高速切替え高周波同調インダクタ７Ａ〜７Ｄが接続される。
この高速切替え高周波同調の動作をさせる４チャネル分の直列同調回路は、１チャネル分毎にプリント基板上への実装として放射状（一例として扇状）に配置する方法があった。
この場合、マイクロストリップラインの１２．５Ωの伝送線路を含む分岐・合成端部１４の他方の端部の接続端から最短かつ端部の中心点から等距離になるように４つの高周波同調キャパシタ５Ａ〜５Ｄを配置することが浮遊容量及び磁界結合など生じさせないために最適化配置することが重要であった。
しかし、分岐・合成端部１４を構成するにおいてつぎのような状況があった。
（１）分岐・合成端部１４の他方の端部面からは高周波同調キャパシタ５Ａ〜５Ｄを最短電気長での接続が行われるが、端部中心点からは各素子の接続点までは等距離ではない。
このため端部中心点から離れた方の接続点は浮遊容量が生じやすい。従ってＡ及びＤの各素子から構成される直列同調回路では、Ｂ及びＣのそれに比べ同調周波数特性が所定値から変化して所望の同調特性が得にくい。
（２）前記（１）を回避するために、分岐・合成端部１４の他方の端部面の中心点から各素子の接続点までの等距離を確保するには、分岐・合成端部１４の他方の端部面の形状を予め、一例として等距離とするような４分岐の放射状のマイクロストリップラインを付加することがある。
この場合は、高周波同調キャパシタ５Ａ〜５Ｄに接続される電気長が不要なインダク分と同時に不要なキャパシタ分（浮遊容量）が生じやすい。従って高周波信号の位相成分が回転し、等価的に容量性が増加するため、Ａ〜Ｄの各素子から構成される直列同調回路では同調周波数特性が所定値からわずかに変化し同調周波数が所望の周波数よりも低下してしまい所望の同調特性が得にくい。
（３）また、Ａ〜Ｄの各素子から構成される直列同調回路は実装面積が狭い範囲で実装されるので、高速切替え動作時には高周波同調インダクタどうしが結合し易く、この結合によって同調特性曲線がひずむことがある。
分岐・合成端部の最短接続によるチャンネル毎の同調特性の確保およびインダクタの結合による各チャンネル間の不要な干渉を避ける従来技術では、立体構造、電磁遮蔽などの構造物での対策するのが普通であった。
また、同調素子を電子的に切替える技術としての文献公知の従来技術としては、マイクロ波帯の周波数帯域可変フィルタの耐電力性を向上し、入出力直線性を改善するものがある。（例えば、特許文献１参照）。
【特許文献１】特開平７−３２１５０９号公報
【発明の開示】
【発明が解決しようとする課題】
【０００３】
従来技術の問題であった、
（１）同調回路の同調素子間の不要な寄生容量の発生による同調特性の不良、
（２）マイクロストリップラインなどの電気長の延長による同調周波数の低下、
（３）分岐・合成端部と一体的に構成される伝送線路によって同調回路の実装面積が狭くされることによる同調特性の不良を解決し、
（４）同調回路の同調素子間のアイソレーションが向上され、
（５）分岐・合成端部の端部から最短、等距離で同調素子が実装され、
（６）伝送線路の距離及び配置が同調素子の実装範囲に左右されないような分岐・合成端部及び同調回路実装の構成を実現することにある。
本発明の目的は、複数（ｎ）個の高周波帯域周波数チャネルに対応する同調回路のそれぞれが高速同調切替えられて各々形成される直列同調回路の同調周波数特性が所定の帯域精度に保たれるように構成された空中線共用器を提供することにある。
【課題を解決するための手段】
【０００４】
本発明の空中線共用器は、空中線に接続される空中線接続端と、
該空中線接続端に接続される空中線側端と低いインピーダンスを有し、該空中線側のインピーダンスと該インピーダンスより低い低インピーダンスとの相互変換を行う第一のインピーダンス変換器と、
該インピーダンス変換器に一方の端部が接続され、高周波信号をプリント基板の任意の位置まで伝送する低インピーダンス伝送線路と、
該低インピーダンス伝送線路の他方の端部が接続され、前記高周波信号の一方の伝送方向では複数チャネル分の分岐端を形成し、他方の伝送方向では複数チャネル分の合成端を形成する低インピーダンス分岐・合成端部と、
該複数チャネル分の低インピーダンス分岐・合成端部にそれぞれ一方の端部が接続された前記複数チャネル分の数の高周波同調キャパシタと高周波同調インダクタとを備えて複数各チャネル内に定められた高域周波数に同調する複数の直列同調回路と、
前記複数の直列同調回路の他方の端部のそれぞれに直列に一方の端部が接続された直列複数のおのおのがスイッチにより選択される直列複数のインダクタを備えて複数各チャネル内に定められた中・低域周波数に同調する高速切替え高周波同調インダクタと、
該複数チャネル分の高速切替え高周波同調インダクタの他方の端部のそれぞれが一方の端部に接続され、それぞれの他方は複数各チャネルに割り当てられた複数の無線機にそれぞれ接続される複数の無線機接続端と、
前記直列同調回路側の低インピーダンスと該低インピーダンスより高い高インピーダンスとの相互変換を行う第二のインピーダンス変換器とが前記プリント基板上に備えられ、
前記低インピーダンス分岐・合成部は、前記プリント基板の表面に配設される前記低インピーダンスに相当する特性インピーダンスを有するマイクロストリップラインを用いた前記複数チャネル分に対応する正多角形状を形成し、前記複数チャネル分のそれぞれの直列同調回路は該正多角形状のマイクロストリップラインの一辺に相対するように配置され、
前記低インピーダンス伝送線路は前記プリント基板の裏面に配設される前記低インピーダンスに相当する特性インピーダンスを有するマイクロストリップラインによって形成され、
前記直列同調回路の同調周波数特性が所定の帯域精度に保たれるように構成されたものである。
【発明の効果】
【０００５】
（１）同調素子の実装間隔を広くとることができ、各素子間のアイソレーションを確保したプリント基板のパターン設計をすることができる。
（２）実質電気長０で同調素子を分岐・合成端部へ実装することができる。
（３）同調素子の実装の自由度を向上させた上に各素子間のアイソレーションを確保することができ、電磁遮蔽のような構造物が不要となり、平面構造での実装が生産費用を安価にさせる。
（４）同調回路の同調負荷Ｑを大きくとれるので、帯域特性の優れた空中線共用器が実現できる。
【発明を実施するための最良の形態】
【０００６】
図１は、本発明の構成の実施例を示す系統図である。
１は、一方の端部に空中線接続端を有し、この空中線接続端に空中線を接続し、他方の複数（一例として４）の端部に無線機接続端を有し、この無線機接続端に無線機を接続される空中線共用器である。それぞれの端部のインピーダンスは一例として５０Ωである。本発明の空中線共用器は送受信共用である。
２は、空中線に接続される空中線接続端と、空中線接続端に接続される空中線側端と低いインピーダンスを有し、空中線側のインピーダンスとインピーダンスより低い低インピーダンスとの相互変換を行い、一方の端部は空中線に接続され、無線周波信号が受け渡しされる空中線接続端（一例として５０Ω系）、他方は低インピーダンス（一例として１２．５Ω）にインピーダンス変換された端部を有する第一のインピーダンス変換器である。
３は、インピーダンス変換器に一方の端部が接続され、高周波信号をプリント基板の任意の位置まで伝送し、一例としてマイクロストリップラインを用いる１２．５Ωの低インピーダンス伝送線路である。
４は、低インピーダンス伝送線路の他方の端部が接続され、高周波信号の一方の方向では複数チャネル分の分岐端を形成し、他方の方向では複数チャネル分の合成端を形成し、一例として正方形のマイクロストリップラインのパターンを用いる低インピーダンス分岐・合成端部である。
５Ａ〜５Ｄは、複数チャネル分の低インピーダンス分岐・合成端部にそれぞれ一方の端部が接続された複数チャネル分の数を有し、一例として正方形のマイクロストリップラインを用いたパターン上の内側四隅に実装された同調素子（一例として半固定型のピストントリマコンデンサ）を有する複数の（一例として４つの）高周波同調キャパシタである。
６Ａ〜６Ｄは、複数チャネル分の数の高周波同調キャパシタの他方の端部のそれぞれに直列に一方の端部が接続される複数チャネル分の数を有し、４つの高周波同調キャパシタ５Ａ〜５Ｄのそれぞれに直列接続される４つの高周波同調インダクタである。
高周波同調キャパシタと高周波同調インダクタとによって複数の直列同調回路を形成し、複数の直列同調回路のそれぞれは、複数各チャネル内に定められた高域周波数に同調される。
７Ａ〜７Ｄは、複数の高周波同調インダクタの他方の端部のそれぞれに直列に一方の端部が接続された直列複数のおのおのがスイッチにより選択される直列複数のインダクタを備え、４つの高周波同調インダクタのそれぞれに直列接続される４組の多段の高速切替え高周波同調インダクタである。
複数の直列同調回路のそれぞれと高速切替え高周波同調インダクタのそれぞれが直列接続されることによって、複数各チャネル内に定められた中・低域周波数に同調される。
８Ａ〜８Ｄは、複数チャネル分の高速切替え高周波同調インダクタの他方の端部のそれぞれが一方の端部に接続され、それぞれの他方は複数各チャネルに割り当てられた無線機接続端を有し、これが無線機に接続され、直列同調回路側の低インピーダンスと該低インピーダンスより高い高インピーダンスとの相互変換を行い、一方の端部（一例としてインピーダンス１２．５Ω系）が４組の高速切替え高周波同調インダクタのそれぞれの組に接続され、他方の端部（一例としてインピーダンス５０Ω系）がそれぞれ一つづつ４台の無線機Ａ〜Ｄに接続される第二のインピーダンス変換器である。
以上の空中線共用器の各回路はプリント基板上に実装されている。
高周波同調キャパシタ５Ａ、高周波同調インダクタ６Ａおよび高速切替え高周波同調インダクタ７Ａの直列同調回路が１チャネル当り（チャネルＡ）の直列同調回路を形成する。
更に、高周波同調インダクタ７Ａは、外部から入力される高速切替え制御信号がそれぞれの複数のスイッチ（一例としてピンダイオードを用いた電子スイッチ）を制御してインダクタの数を選択するように形成された直列多段の高周波同調インダクタである。
同様に５Ｂ−６Ｂ−７Ｂ、５Ｃ−６Ｃ−７Ｃ及び５Ｄ−６Ｄ−７Ｄの３組の直列同調回路が形成される。
以上によって、本発明の分岐・合成端部を有し、複数の高速切替え高周波同調回路を備えた空中線共用器が構成されている。
【０００７】
図２は、本発明の低インピーダンス分岐・合成端部を中心としたプリント基板上の各回路要素の実装状況である。これによって空中線共用器を説明する。
４個の同調素子である高周波同調キャパシタ５Ａ〜５Ｄ、更に４個の同調素子である高周波同調インダクタ６Ａ〜６Ｄ、更に一例として１組当り３個の直列同調素子から成る４組の高速切替え高周波同調インダクタ７Ａ〜７Ｄがプリント基板の表及び裏を用いて実装される。（５Ａ−６Ａ−７Ａ、５Ｂ−６Ｂ−７Ｂ、５Ｃ−６Ｃ−７Ｃ及び５Ｄ−６Ｄ−７Ｄの４チャネル分の直列同調回路）
４チャネル分の直列同調回路の各チャネル分の回路は低インピーダンス分岐・合成端部４の正方形状に形成されたマイクロストリップラインの各辺に対向するように４方向にプリント基板の表面に実装されている。
低インピーダンス伝送線路３はプリント基板の裏面にマイクロストリップラインを用いてパターン形成され、一方、プリント基板の表面に配設されたインピーダンス変換器２及び低インピーダンス分岐・合成端部４とはスルーホール接続によってプリント基板の裏表面の接続が行われる。各部の形成方法の詳細は次の通りである。
（１）低インピーダンス分岐・合成端部４のパターン形成
低インピーダンス分岐・合成端部４のパターンは、特性インピーダンスを低く（一例としてＺ０＝１２．５Ω）させるためマイクロストリップラインは太くし（本例では正方形）、表面と裏面のそれぞれ独立したマイクロストリップラインを備えられるプリント基板（２層の誘電体構成）の表面側を用い、このようなプリント基板表面（２層の誘電体の一方の層）の中央付近に形成させる。（図２低インピーダンス分岐・合成端部４ハッチングの電極パターン）
（２）高周波同調キャパシタ５Ａ〜５Ｄの実装
正方形の低インピーダンス分岐・合成端部４のパターン上の内側四隅に、高周波同調キャパシタ５Ａ〜５Ｄをひとつずつ搭載し、半田付けなどにより電気長０とするように面実装する。（図２低インピーダンス分岐・合成端部４のハッチング電極パターン上に描かれた４つの円形部位）
（３）高周波同調インダクタ（コイル）６Ａ〜６Ｄの実装
高周波同調インダクタ（コイル）６Ａ〜６Ｄは、上記正方形の各辺に対向させ、高周波同調キャパシタ５Ａ〜５Ｄと最短で直列接続されるように、それぞれ５Ａ−６Ａ、５Ｂ−６Ｂ、５Ｃ−６Ｃ、５Ｄ−６Ｄとに位置して接続される。（図２低インピーダンス分岐・合成端部４つの円形部位に接続されたコイル）
（４）高速切替え高周波同調インダクタ７Ａ〜７Ｄの実装
高速切替え高周波同調インダクタ７Ａ〜７Ｄは、７Ａ〜７Ｄのそれぞれの組コイルは直列多段接続（一例として３段）され、接続の数が選択されるコイル群から成り、各組コイルはインピーダンス分岐・合成端部４の正方形パターンの各辺に対向させ、高周波同調インダクタ６Ａ〜６Ｄの他方の端部と直列接続され、従って高速切替え高周波同調器６Ａ〜６Ｄはプリント基板表面に十字型に配置される。
（５）低インピーダンス伝送線路３の形成
低インピーダンス伝送線路３は、プリント基板表面に配設された低インピーダンス分岐・合成端部４のパターンのほぼ中央部にてスルーホール接続され、前記十字型に配置された高速切替え高周波同調器６Ａ〜６Ｄの回路部位の実装範囲を避けたプリント基板の任意の位置にインピーダンス変換器２が設けられるように、表面と裏面のそれぞれ独立したマイクロストリップラインを備えられるプリント基板（２層の誘電体構成）を用い、このようなプリント基板の裏面側にマイクロストリップラインのパターンが形成（２層の誘電体の他方の層）される。低インピーダンス分岐・合成端部４の正方形の各辺の長さは、マイクロストリップラインの特性を得る方法として、具体的にはインピーダンス値の調整，基板厚の調整，基板の比誘電率の調整、基板厚の内装パターンの種別によって決定される。
（６）インピーダンス変換器２の実装
前記低インピーダンス伝送線路３のマイクロストリップラインの他方の端部からスルーホール接続によってプリント基板表面に配設されたインピーダンス変換器２へ接続される。
上記のように十字型に配置される高速切替え高周波同調の同調回路であれば、４チャネル分の各チャネル分コイル間の磁束が直角方向に生じるので、かつ、各チャネル分の回路は最短電気長を確保され、チャネル分間の離隔距離が確保されるので各チャネルでの高速切替え時でも電気的干渉の最も少ない配置を得るプリント基板実装方法をした空中線共用器である。
【０００８】
次に高周波数信号の流れを、空中線の端部から順を追って説明する。説明例は受信時であるが、空中線及び空中線共用器１は送受共用型に構成されているので送信時の高周波数信号の流れは受信時の逆である。なお送受信の高周波数信号の流れをコントロールするのは空中線共用器１のチャネル毎に接続される無線機Ａ〜Ｄである。（図１−図２参照）
（１）空中線の端部から受信される高周波信号は、インピーダンス変換器２により、一例として５０Ω→１２．５Ωへ低インピーダンス変換される。
（２）低インピーダンス変換された高周波信号は、プリント基板の裏面側へ基板のスルーホールを用いて低インピーダンス伝送線路３の端部へ接続される。
（３）低インピーダンス確保された高周波信号は、プリント基板の裏面に有する低インピーダンス伝送線路３（１２．５Ω）によって伝送され、低インピーダンス伝送線路３の他方の端部からスルーホールを介してプリント基板の表面に形成された低インピーダンス分岐・合成端部４の中心部へ供給される。低インピーダンス線路の構成として、一例としてマイクロストリップラインであるが同軸線路にて構成することでもよい。
（４）低インピーダンス分岐・合成端部４に伝送された高周波信号は、幅広のマイクロストリップラインのパターンで形成されている１２．５Ωの特性インピーダンス回路上に一様に信号が伝達される。正方形の四隅内側に実装された高周波同調キャパシタ５Ａ〜５Ｄへ高周波信号が供給される。ここで高周波信号は４分岐される。各高周波同調キャパシタの実装位置は低インピーダンス分岐・合成端部４のパターン中心部から等距離、パターン上に直接面実装されるので電気長ゼロでの接続を可能にしている。
（５）分配された高周波信号は、高周波同調キャパシタ５Ａ〜５Ｄへ高周波信号が供給され、５Ａ−６Ａ−７Ａ、５Ｂ−６Ｂ−７Ｂ、５Ｃ−６Ｃ−７Ｃ及び５Ｄ−６Ｄ−７Ｄの４組の直列同調回路として構成された回路のそれぞれに供給される。
４組の直列同調回路に供給された高周波信号は、高周波帯域周波数チャネルに適合させた所定の帯域特性を有し、かつ、各チャンネル帯域内では同調素子の高速切り替えによる帯域内に更に複数の同調特性を備えた同調回路が備えられ、例示では４×多段（一例として３段）の数の組み合わせ数がスペクトラム拡散信号の切替えタイミングで高速切り替え制御されて、４チャネル分の直列同調回路それぞれ選択された周波数帯域を通過した高周波信号が端部より出力される。
チャネル毎の直列同調回路の同調周波数は、高周波同調キャパシタと高周波同調インダクタと選択された高速切替え高周波同調インダクタの直列接続により形成される。
先ず、各チャネル内では、高周波同調キャパシタと高周波同調インダクタとの直列接続により形成される直列同調回路の同調周波数はチャネル内での高域周波数の同調周波数が定められ、これに高速切替え高周波同調インダクタのインダクタ素子（コイル）が直列に加わる毎に直列同調回路の同調周波数が中・低域周波数の同調周波数に移行される。
（６）スペクトラム拡散信号の一例として周波数ホッピング方式であれば、ホッピング周波数成分に同調された周波数成分の高周波信号は、インピーダンス変換器８Ａ〜８Ｄにて元の５０Ω信号系のインピーダンスに変換され受信出力として無線機Ａ接続端〜無線機Ｄ接続端を経て、スペクトラム拡散信号の受信回路、ベースバンド復調回路を備えた無線機へ供給される。
【０００９】
図３に本発明の空中線共用器のチャネルＡ〜Ｄ及び各チャネル内での高速切替え高周波同調回路の周波数特性例を示した同調特性曲線である。このすべての同調特性曲線から選択されて周波数ホッピング方式の信号制御タイミングに従って瞬時、瞬時に切替えられる。
【産業上の利用可能性】
【００１０】
本発明は、移動体通信における、基地局装置の送受信空中線の共用器に用いられ、ディジタル移動体通信システムに利用される。
【図面の簡単な説明】
【００１１】
【図１】本発明の空中線共用器のブロック図である。
【図２】本発明の低インピーダンス分岐・合成端部を要部としたプリント基板の実装状況である。
【図３】本発明の空中線共用器の周波数特性例である。
【図４】従来技術の分岐・合成端部を要部としたプリント基板の実装状況である。
【図５】従来技術の空中線共用器のブロック図である。
【符号の説明】
【００１２】
１、１０  空中線共用器
２、８Ａ〜８Ｄ  インピーダンス変換器
３  低インピーダンス伝送線路
４、１４  低インピーダンス分岐・合成端部
５Ａ〜５Ｄ  高周波同調キャパシタ
６Ａ〜６Ｄ  高周波同調インダクタ
７Ａ〜７Ｄ  高速切替え高周波同調インダクタ
【図１】
2006148385.tif 000003
【図２】
2006148385.tif 000004
【図３】
2006148385.tif 000005
【図４】
2006148385.tif 000006
【図５】
2006148385.tif 000007